【手続補正書】
【提出日】平成15年9月17日(2003.9.17)
【手続補正１】
【補正対象書類名】明細書
【補正対象項目名】全文
【補正方法】変更
【補正の内容】
【発明の名称】棒状化粧料繰り出し容器
【特許請求の範囲】
【請求項１】棒状化粧料１を収嵌保持し、壁側に螺合突部３を突設した保持筒２と、該保持筒２を上下摺動自在に内装し、壁側に前記保持筒２の螺合突部３が貫通して保持筒２を回動不能に案内するガイド溝５を穿設した身筒４とよりなるカートリッジ体Ａを、上部にキャップ１６を抜脱可能に嵌合する嵌合部２３を設けた本体筒１４と、該本体筒１４に回動自在に保持され、内壁に前記保持筒２の螺合突部３と螺合する螺旋溝１７が螺設されたスリーブ１３とよりなる容器本体Ｂ内に下方より挿入し、前記カートリッジ体Ａの身筒４の基部９を容器本体Ｂの本体筒１４内に着脱可能に係止させてなる構成において、
前記容器本体Ｂのスリーブ１３を、本体筒１４内に回動自在に、且つ上下動可能に内装し、前記カートリッジ体Ａの身筒４にスリーブ１３下端に当接する段部１０を設け、容器本体Ｂにカートリッジ体Ａを装着した時点で、スリーブ１３を上死点まで押し上げてスリーブ１３の上下動を規制し、上下摺動不能に回動可能に挟持し、かつ、スリーブ１３の下死点に於いて前記カートリッジ体Ａと容器本体Ｂの係止を解除することを特徴とする棒状化粧料繰り出し容器。
【発明の詳細な説明】
【０００１】
【産業上の利用分野】
本発明は、口紅、アイシャドウ等の棒状化粧料を収納し、この棒状化粧料を繰り出す繰り出し機構を内装した棒状化粧料繰り出し容器に関するものであり、任意に棒状化粧料を交換できるカートリッジ機能を付加し、しかもそのカートリッジ体が安価に提供でき、リサイクル品として廃棄できる棒状化粧料繰り出し容器に関するものである。
【０００２】
【従来の技術】
従来より、口紅、アイシャドウ等の棒状化粧料を、繰り出し機構を内装した容器に収納し、しかもこの棒状化粧料を任意に交換できるカートリッジ式棒状化粧料繰り出し容器が数多く提案されている。この内、棒状化粧料を収嵌保持し、側壁に螺合突部を突設した保持筒と、この保持筒を上下摺動自在に内装し、側壁に保持筒の螺合突部が貫通して保持筒を回動不能に案内するガイド溝を穿設した身筒と、この身筒に回動自在に保持され内側壁に身筒を貫通した保持筒の螺合突部が螺合する螺旋溝を螺設したスリーブとよりカートリッジ体を構成し、上部にキャップを抜脱可能に嵌合する嵌合部を設けた本体筒とキャップで容器本体を構成し、カートリッジ体の身筒下部を容器本体の本体筒に抜脱可能に係合させて棒状化粧料容器とした構成が一般的であった。この種の構成は、繰り出し機構を含む構造部と、外装体に分離することにより、簡単にカートリッジ機能を付加できる反面、廃棄されてしまうカートリッジ体に繰り出し機構が含まれているため、カートリッジ体が複雑となり、高価なものとならざるを得なかった。しかも、カートリッジ体には、容器本体に装着した際、外部に露出するスリーブも含まれ、スリーブの表面には、意匠性を高めるため加飾が施されていた。つまりカートリッジ体は複数種の材料から形成されているため、廃棄する際、分別する事ができず、資源としてリサイクルすることができなかった。
【０００３】
そこで、実開平１−１１６１０号公報により、カートリッジ体を保持筒と身筒で構成し、スリーブ、本体筒、キャップで容器本体を構成し、身筒の下部を本体筒内に抜脱可能に係合閉止させた構成が提案されている。この構成の場合、廃棄されるカートリッジ体が保持筒と身筒のみであり、容器本体内に装着した際、外部に露出しない構造部であるため、特別な加飾も必要とせず、単一の材料により成形する事が可能で、カートリッジ体を極めて安価に提供でき、しかもカートリッジ体を廃棄する際には、ごみとして分別する事が可能であり、資源としてリサイクルする事が可能となっていた。
【０００４】
【発明が解決しようとする課題】
しかし、カートリッジ体が容器本体内に収まってしまうため、わざわざ身筒の上部をスリーブの上端より突出させ、露出した身筒を下方に引き抜くことによってカートリッジ体を取り外していた。従って容器本体に収容できる保持筒と身筒とでカートリッジ体を構成できる反面、身筒の下部を本体筒下方に露出させなければならず、この構成の特徴を充分に生かしていなかった。また、カートリッジ体の装着時に、保持筒の螺合突部をスリーブの螺旋溝に突入させる必要があるため、スリーブ内をのぞいて螺合突部と螺旋溝の位置合わせをしなければならず、カートリッジ体の装着には慣れが必要となっていた。
【０００５】
【課題を解決するための手段】
棒状化粧料１を収嵌保持し、側壁に螺合突部３を突設した保持筒２と、この保持筒２を上下摺動自在に内装し、側壁に前記保持筒２の螺合突部３が貫通して保持筒２を回動不能に案内するガイド溝５を穿設した身筒４とよりなるカートリッジ体Ａを、上部にキャップ１６を抜脱可能に嵌合する嵌合部２３を設けた本体筒１４と、この本体筒１４に回動自在に保持され、内壁に前記保持筒２の螺合突部３と螺合する螺旋溝１７が螺設されたスリーブ１３とよりなる容器本体Ｂ内に下方より挿入し、前記カートリッジ体Ａの身筒４の基部９を容器本体Ｂの本体筒１４内に着脱可能に係止させてなる構成において、前記容器本体Ｂのスリーブ１３を、本体筒１４内に回動自在に、且つ上下動可能に内装し、前記カートリッジ体Ａの身筒４に、スリーブ１３下端に当接する段部１０を設け、容器本体Ｂにカートリッジ体Ａを装着した時点で、スリーブ１３を上死点まで押し上げてスリーブ１３の上下動を規制し、スリーブ１３を上下摺動不能に回動可能に挟持し、且つスリーブ１３の下死点に於いて前記カートリッジ体Ａと容器本体Ｂの係止を解除する。
【０００６】
【作用】
カートリッジ体Ａが容器本体Ｂに装着された状態では、カートリッジ体Ａの身筒４の基部９が本体筒１４内に止着され、保持筒２の螺合突部３がスリーブ１３の螺旋溝１７に螺合している。また、スリーブ１３は下端が身筒４の段部１０に当接して押し上げられ、上下摺動不能に、回動可能に挟持されている。ここで、本体筒１４を保持してスリーブ１３を回転操作すると、本体筒１４内に止着された身筒４によって回動不能にされた保持筒２の螺合突部３が回転しているスリーブ１３の螺合突部３に螺合しているため、螺合作用により保持筒２が上下摺動し、棒状化粧品１が容器本体Ｂより繰り出される。
【０００７】
カートリッジ体Ａを容器本体Ｂより取り外す場合には、本体筒１４を保持してスリーブ１３を下方に押し下げればよい。その結果、スリーブ１３の下端がカートリッジ体Ａの身筒４の段部１０に当接しているため、身筒４が下方に押し下げられ、本体筒１４と身筒４の係止が解除され、身筒４が本体筒１４より抜脱可能となる。そして、身筒４の下部を保持して引き抜き、保持筒２の螺合突部３とスリーブ１３の螺旋溝１７の螺合を解除すれば、カートリッジ体Ａが取り外せる。
【０００８】
カートリッジ体Ａを容器本体Ｂに装着する場合には、カートリッジ体Ａを容器本体Ｂの下方から挿入してやればよい。そして、保持筒２の螺合突部３をスリーブ１３の螺旋溝１７に突入螺合させ、身筒４の基部９を本体筒１４内に係止させればカートリッジ体Ａの装着は完了する。この時点でスリーブ１３は上死点まで押し上げられ、スリーブ１３が上下摺動不能となる。
【０００９】
【実施例】
口紅、アイシャドウ等の棒状化粧料１は、下部を保持筒２に収嵌保持されている。この保持筒２の側壁には、螺合突部３を突設している。この保持筒２は、身筒４内に上下摺動自在に内装されている。
【００１０】
この身筒４の側壁には、前記保持筒２の螺合突部３が貫通して保持筒２を回動不能に案内し、且つ保持筒２の上下摺動を規制するガイド溝５を軸線と平行に穿設している。このガイド溝５の設けられた部位はガイド部７となっており、この挿入部８の下方には更に外径が拡大した基部９が設けられ、基部９と挿入部８の間には段部１０が構成されている。
【００１１】
以上の保持筒２と身筒４でカートリッジ体Ａを構成している。このカートリッジ体Ａは、単独で存在する場合、身筒４に透明な仮キャップ１１が嵌合して身筒４内の棒状化粧料１を保護している。この仮キャップ１１は、身筒４の挿入部８に抜脱可能に嵌合している。また仮キャップ１１の下部内壁には、下方の内径が拡大して当接部１２を構成している。この当接部１２には、保持筒１２の螺合突部３が下死点で当接して、身筒４に仮キャップ１１が嵌合した際、保持筒２が仮キャップ１１内で繰り上がり、棒状化粧料１が仮キャップ１１の内面に衝突して棒状化粧料１を損傷してしまうようなことを防いでいる。
【００１２】
次に、カートリッジ体Ａを着脱可能に内装する容器本体Ｂについて説明する。容器本体Ｂは、スリーブ１３、本体筒１４、嵌合筒１５、キャップ１６とよりなっている。
【００１３】
カートリッジ体Ａの身筒４のガイド部７および挿入部８は、スリーブ１３内に下方より挿入されている。このスリーブ１３内壁のガイド部７に相当する部位には、身筒４のガイド溝５を貫通した保持筒２の螺合突部３が螺合する螺旋溝１７が螺設されている。スリーブ１３内壁の挿入部８に相当する部位は、螺旋溝１７が螺設されておらず、内径が拡大している。その結果、螺旋溝１７は下端に開溝しており螺合突部３が下方より突入螺合できるようになっている。また、スリーブ１３下部外周には、ストッパーリング１８が止着されている。このストッパーリング１８の外周ほぼ中央には、外周リブ１９が突設されている。また、ストッパーリング１８の内周下端部には、内周２０が周設されており、スリーブ１３の下端部が当接している。このスリーブ１３の下部およびストッパーリング１８は、本体筒１４内に内装されている。
【００１４】
この本体筒１４の上部内径は、前記ストッパーリング１８の外周リブ１９の外径よりも僅かに大径であり、下部内径は外周リブ１９の外径よりも僅かに小径の連結部２１となっており、間に外周リブ１９下面もしくはストッパーリング１８下面が当接してスリーブ１３の下方への脱落を防止する制御部２２が設けられている。また、本体筒１４の連結部２１には、前記カートリッジ体Ａの身筒４の基部９が下方より抜脱可能に挿入止着され、カートリッジ体Ａが容器本体Ｂ内に収納保持されている。この時、スリーブ１３下端、つまりストッパーリング１８の下端部は、身筒４の段部１０に当接し、押し上げられている。
【００１５】
また、本体筒１４の上部には、嵌合筒１５が止着されている。この嵌合筒１５の下部内径は、ストッパーリング１８の外周リブ１９外径よりも小径になっており、嵌合筒１５下端がストッパーリング１８の外周リブ１９の上面に当接し、スリーブ１３およびストッパーリング１８の上方への脱落を阻止している。その結果、ストッパーリング１８の上下摺動は、嵌合筒１５下端より本体筒１４の制御部２２までの間に制限されている。なお、本体筒１４にカートリッジ体Ａを装着した時、身筒４によってスリーブ１３のストッパーリング１８が押し上げられ、外周リブ１９が嵌合筒１５下端に当接して上死点に位置し、スリーブ１３が身筒４の基部９と嵌合筒１５下端に挟持され、スリーブ１３の上下移動が規制され、回転操作のみ可能となっている。この嵌合筒１５の上端は、本体筒１４の上端より外部に露出し、キャップ１６が抜脱自在に嵌合する嵌合部２３となっている。
【００１６】
なお、本発明の要旨を脱しない限り、実施例の構成に限定されるものではなく、例えば、第７図のように本体筒１４と内部の連結部２１を別パーツで構成する等の、構成要素を複数パーツで構成してもよく、第５図のようにスリーブ１３とストッパーリング１８を一体で成形する等の、複数パーツを一体で成形してもよい。また、第７図の様に、本体筒１４の内壁に、内周リブ６を周設し、この内周リブ６の上方に内周ローレット２６を周設し、身筒４の基部９外周に内周リブ６を乗り越え可能で、内周ローレット２６に回動不能に係合可能な複数の係合突部２７を突設した場合、身筒４を本体筒１４に装着する際、内周リブ６の乗り越え感が手に伝わり、しかも身筒４と本体筒１４の係合がより確実なものとなる。また、第５図および第６図のように、スリーブ１３の内壁全周に無数の細かい螺旋状ローレット２４を螺設し、保持筒２の螺合突部３先端面にこの複数の螺旋状ローレット２４に螺合する螺合面２５を設けてもよい。
【００１７】
【発明の効果】
本発明は以上のように、保持筒２を上下摺動させる螺旋溝１７の螺設されたスリーブ１３を本体筒１４に回動自在に上下摺動可能に配置して容器本体Ｂを構成し、棒状化粧料１を収嵌保持した保持筒２と身筒４でカートリッジ体Ａを構成している。そして、カートリッジ体Ａは容器本体Ｂの本体筒１４に身筒４の基部９を止着することにより容器本体Ｂに装着され、スリーブ１３を押し下げる事によってスリーブ１３下端に当接した身筒４の段部１０を押し下げ、カートリッジ体Ａを取り外せるようになっている。また、スリーブ１３は、カートリッジ体Ａを装着した際、下端が身筒４の段部１０に当接して押し上げられ、スリーブ１３の上下動が規制され、回動操作可能に、上下摺動不能になっている。従って、容器本体Ｂにカートリッジ体Ａを装着した時点では、身筒４は何ら外部より露出せず従来よりある棒状化粧料繰り出し容器と何ら変わりなく使用できるようになっている。
【００１８】
また、カートリッジ体Ａの取り外しをスリーブ１３を下方に摺動操作することによって行うため、カートリッジ体Ａの保持筒２及び身筒４は、完全に容器本体１４内に収納され、外部に露出するのは身筒４の基部９下面のみであるため、カートリッジ体Ａには意匠性を考慮する必要がなく、きわめて安価にカートリッジ体Ａを提供できる。しかも、リサイクル性の高い単一材料で成形する事が可能となり、カートリッジ体Ａを廃棄する際、資源ごみとして分別、資源としてリサイクルができる。また、容器本体Ｂは、カートリッジ体Ａを交換する事によって繰り返し使用でき、省資源性の高い棒状化粧料繰り出し容器を提供できる。
【００１９】
更に、カートリッジ体Ａは、本体筒１４を保持して身筒４の基部９を机上に押し付ける事により容器本体Ｂに装着でき、スリーブ１３を机上に押し付けることによりカートリッジ体Ａを取り外す事ができる。従って、カートリッジ体Ａを手で着脱する場合に比べて、本体筒１４と身筒４の基部９の係止力を強固にすることができ、カートリッジ体Ａを確実に装着保持させる事ができる。従って、不用意にカートリッジ体Ａが脱落してしまうようなことはない。また、第７図のように内周リブ９、内周ローレット２６及びそれに係合する係合突部２７を設ければ更にその装着保持及びその確認が確実なものとなる。
【００２０】
また、実施例で説明したように、スリーブ１３内壁全周に無数の螺旋状ローレット２４を螺設し、保持筒２の螺合突部３先端に複数の螺旋状ローレット２４と螺合する螺合面２５を設けた構成は、カートリッジ体Ａの装着時に螺合突部３と螺旋溝１７を位置合わせする手間が省け、更に簡単に装着操作できるようになっている。
【図面の簡単な説明】
【図１】本発明実施例棒状化粧料繰り出し容器の正面断面図。
【図２】容器本体にカートリッジ体を装着した状態の正面断面図。
【図３】棒状化粧料を繰り出した状態の正面断面図。
【図４】カートリッジ体取り外し時の正面断面図。
【図５】スリーブのその他の実施例の部分断面斜視図。
【図６】保持筒のその他の実施例の斜視図。
【図７】身筒及び本体筒のその他の実施例の正面断面図。
【符号の説明】
１    棒状化粧料
２    保持筒
３    螺合突部
４    身筒
５    ガイド溝
９    基部
１０    段部
１３    スリーブ
１４    本体筒
１６    キャップ
１７    螺旋溝
２３    嵌合部
Ａ    カートリッジ体
Ｂ    容器本体